(57)【要約】【課題】  パーマ溶剤が塗布された前髪をストレートに保ち、前髪を放射状に伸ばした状態で、溶剤付着防止板上に付着させ、ストレートパーマ施術時に髪の生え際や顔面にパーマ溶剤が付着するのを防止するストレートパーマ用溶剤付着防止板を提供する。【解決手段】  ストレートパーマを施術する際に髪の生え際から額と間に挟装着するパーマ溶剤付着防止板が、髪の生え際および／または顔面の前面の皮膚にパーマ溶剤が付着するのを防止するために、上額部から下方向に向けて広がる略台形に形成し、上額部である髪の生え際に沿って円弧状に上底辺を形成し、円弧状台形の中央を頂点に左辺と右辺に向けて湾曲に形成することにより、パーマ溶剤の粘着力で脱落しない発泡スチロールなどの軽量素材で形成されるストレートパーマ用溶剤付着防止板。【選択図】  図１
2013031576.tif 000002
【特許請求の範囲】
【請求項１】
縮毛やくせ毛を直線にするストレートパーマを施術する際に髪の生え際から額との間に挟装するパーマ溶剤付着防止板において、
該付着防止板を、ストレートパーマ施術時に髪の生え際および／または顔面の前面の皮膚に前記パーマ溶剤が付着するのを防止するために、上額部から下方向に向けて広がる略台形であって、上額部である髪の生え際に沿って円弧状に上底辺を形成し、円弧状台形の中央を頂点に左辺と右辺に向けて湾曲に形成するとともに、前髪に塗布したパーマ溶剤の粘着力で前髪に貼着させても脱落しない発泡スチロールなどの軽量素材で形成することを特徴とするストレートパーマ用溶剤付着防止板。
【請求項２】
前記ストレートパーマ用溶剤付着防止板は、４角が面取りされていることを特徴とする請求項１記載のストレートパーマ用溶剤付着防止板。
【発明の詳細な説明】
【技術分野】
【０００１】
本発明は、理容店や美容院等で、縮毛をストレートヘアに矯正する際に使用されるストレートパーマ用の板部材に関し、特に使用されるパーマ溶剤が皮膚へ付着することを防止するために、髪の生え際から額にかけて前髪と額または顔面との間に挟装介在させるストレートパーマ用溶剤付着防止板に関する。
【背景技術】
【０００２】
従来、毛髪に所望のストレートパーマを施術するに際して、パーマ溶剤の付着を防止する方法として、長方形の平板をパーマ溶剤の塗布された前髪と顔面の皮膚の間に装着し、その平板をピンなどの係止手段で固定してパーマ溶剤の付着を防止をする方法が用いられていた。
【０００３】
ストレートパーマ溶剤を塗布した状態において、前髪は頭部前面に垂直に垂らす状態を保つことが望ましいが、そのような状態ではストレートパーマ溶剤が塗布された前髪が、顔面の皮膚に付着してしまうことが多かった。それを防止するために、複数の小さな平板、または、大きな一枚の平板が介在物として用いられていた。小さな平板を複数使用することにより、人間の額の湾曲に対応するような複雑な角度を形成することが出来た。または、一枚の大きな平板を湾曲させて両端をピンなどの係止具で固定して、ストレートパーマ施術時にパーマ溶剤が髪の生え際および／または顔面の前面の皮膚に付着するのを防止することもあった。
【０００４】
額、および、生え際の微妙な湾曲した角度に合わせるために、小さな平板を複数使用して施術すると、前髪にパーマ溶剤を塗布し顔面への付着を平板で防止するという工程を複数回に渡って繰り返す必要が発生するという不具合が生じていた。また、前髪全部を一度に施術出来ず作業効率が低下し、また、被施術者の視界を遮るため煩わしい。一方、被施術者の側にとっても、施術中に読書をすることが困難になっていた。また、人間の額の湾曲に対して大きな一枚の平板を強制的に湾曲させて使用すると、平板の復元力を抑える係止具が必要となる。また、多少の移動でも前髪を頭部前部へ生え際の湾曲に沿って放射状にストレートに保つことが困難となる。
【０００５】
このような複数の小さな平板がパーマ溶剤が塗布された前髪に係止されている状態で、顔面の前に不安定に垂れ下がっているので前髪のストレート仕上げが一定でなくなる虞があった。また、弧を描いている生え際に対して大きな一枚の平板を使用した場合は、前髪が、ストレートパーマを施術するために理想の状態である放射状に真下方向へ伸ばせない欠点もあった。また、作業効率が悪く、被施術者に快適な環境を提供できなかったため、額および生え際により正確に密着した器具で、かつ、係止具の必要ない軽量で安価なストレートパーマ用溶剤付着防止板を開発する事が望まれていた。
【先行技術文献】
【特許文献】
【０００６】
【特許文献１】特開２００８−６７８１６号公報
【発明の開示】
【発明が解決しようとする課題】
【０００７】
本発明の目的は、上記課題を解決するため、パーマ溶剤が塗布された前髪をストレート（直線）に保ち、前髪全部を放射状に伸ばされた状態で、パーマ溶剤の粘着力で溶剤付着防止板上に付着させ、ストレートパーマ施術時に髪の生え際および／または顔面の前面の皮膚にパーマ溶剤が付着するのを防止するストレートパーマ用溶剤付着防止板を提供することを目的とする。
【課題を解決するための手段】
【０００８】
上記目的を達成するため本発明に係るストレートパーマ用溶剤付着防止板は、縮毛やくせ毛を直線にするストレートパーマを施術する際に髪の生え際から額と間に挟装着するパーマ溶剤付着防止板であって、該付着防止版が、ストレートパーマ施術時に髪の生え際および／または顔面の前面の皮膚に前記パーマ溶剤が付着するのを防止するために、上額部から下方向に向けて広がる略台形であり、上額部である髪の生え際に沿って円弧状に上底辺を形成し、円弧状台形の中央を頂点に左辺と右辺に向けて湾曲に形成するとともに、前髪に塗布したパーマ溶剤の粘着力で前髪に貼着させても脱落しない発泡スチロールなどの軽量素材で形成される構成である。
【０００９】
また、ストレートパーマ用溶剤付着防止板は、４角が面取りされている構造である。
【発明の効果】
【００１０】
本発明に係るストレートパーマ用溶剤付着防止板は、上記詳述した通りの構成であるので、以下のような効果がある。
１．一枚の平板であって、額および生え際に沿って湾曲した形状になっているため、ストレートパーマ施術時にパーマ溶剤を塗布した状態の前髪を、理想の方向に放射状に伸ばして貼着固定することが可能であると同時に、平板を軽量素材で形成しているので、パーマ溶剤の粘着力により、係止手段を用いる事なくストレートパーマ用溶剤付着防止板を前髪に付着させることができ、また脱落も防止する事が可能である。
２．また、４角が面取りされているので、角が皮膚に当たることがないので、取り扱いが楽で安全な構造である。
【図面の簡単な説明】
【００１１】
【図１】本発明に係るストレートパーマ用溶剤付着防止板の正面図
【図２】本発明に係るストレートパーマ用溶剤付着防止板のＡ−Ａ’断面図
【発明を実施するための最良の形態】
【００１２】
以下、本発明に係るストレートパーマ用溶剤付着防止板を図面に示す実施例に基づいて詳細に説明する。
本発明にかかるストレートパーマ用溶剤付着防止板１０は、湾曲した台形の薄板体であり、上底辺２０と、前髪貼着面３０、とからなる構成である。全体の大きさは、この実施例では略人間の額の幅程度であり、高さは横幅の半分程度である。
【００１３】
ストレートパーマ用溶剤付着防止板１０は、各４角が面取りされた台形であり、上額部である生え際に沿うように円弧状に凸形状の上底辺２０が設けられた構成である。図１に示すように、前記ストレートパーマ用溶剤付着防止板１０は、ストレートパーマを施術したい前髪部分を板上に前髪に塗布した溶剤の粘着力で放射状に付着させる構成であり、そのために、先端である下向き方向へと広がった台形に形成されている。４角がそれぞれ丁寧に面取りされているので、角が顔面の皮膚や目に突き当たる事がない形状であるので安全であり、取り扱いが簡便である。
【００１４】
上底辺２０は、図２のＡ−Ａ’断面図に示すように、上額部である頭髪の生え際の形状に沿うように円弧状に湾曲した形状である。前記上底辺２０は、両端から中心部まで、生え際に沿って髪の根元から略同様の位置の根元からパーマ溶剤を塗布し施術することを可能とするために、額の円弧状に沿って台形の中央を頂点に左辺と右辺に向けて湾曲状に形成されている。さらに、前記両端部は、こめかみ付近に接する部分であるため、また、両端部が鋭角であると当該部分の前髪にストレートパーマを施術する際に板上に前髪を直線状に付着させる妨げとなるので、緩やかな角度に面取りがされている構成である。
【００１５】
前髪貼着面３０は、額の円弧状に沿って台形の中央を頂点に左辺と右辺に向けて湾曲状に形成したストレートパーマ用溶剤付着防止板１０の表面部分である。前髪にパーマ溶剤を塗布し、前髪貼着面３０に放射状に付着させる。ストレートパーマ用溶剤付着防止板１０は、軽量であるうえに、粘度のあるパーマ溶剤で前髪に貼着されていることにより脱落を防止する構造である。
【００１６】
図１、および、図２に示す実施例では、ストレートパーマ用溶剤付着防止板１０は、前髪４０がストレートパーマ用溶剤付着防止板１０の前髪貼着面３０にパーマ溶剤５０の粘着力で貼着されており、一定の粘着力で前髪に付着することで軽量の板材が顔の前面に垂下保持されていることになる。
【００１７】
ストレートパーマ用溶剤付着防止板１０は、前髪に塗布したパーマ溶剤の粘着力で前髪に付着させることにより脱落を防止する構成である。本実施例では、パーマ溶剤の粘着力で落下を防げる程度に軽量の発泡スチロールなどの素材で形成される。しかしながら、ストレートパーマ用溶剤付着防止板１０を構成する素材は、この実施例の素材に限定されるものではない。この実施例で使用するパーマ溶剤は、ある一定の粘度のある素材であれば足りるが、溶剤の粘度は限定されるものではなく、溶剤の粘度が低い場合は、他の接着効果の高い溶剤を付加することも可能である。
【００１８】
上底辺に円弧状の凸形状が設けられ、額の円弧状に沿って台形の中央を頂点に左辺と右辺に向けて湾曲状にしたことにより、上額部である生え際と額の形状に沿う略台形の形状が、安定したストレートパーマ用溶剤付着防止板１０の挟装感を生み出すように形成されている。また、板体を一枚の湾曲した略台形に形成したことにより、前髪の全体を、一端のこめかみから他端のこめかみまで一度に一枚のパネルで施術することが出来るようになった。さらに、パーマ溶剤の粘着力のみで安定した貼着状態で垂下維持できるために、装着したまま読書や歩行などを被施術者が行う際に、妨げとならないため、負担を軽減することが可能となった。
【符号の説明】
【００１９】
１０    ストレートパーマ用溶剤付着防止板
２０    上底辺
３０    前髪貼着面
４０    前髪
５０    パーマ溶剤
【図１】
2013031576.tif 000003
【図２】
2013031576.tif 000004